(57)【特許請求の範囲】
【請求項１】
開口を有した基板と、
前記開口を開閉する先幕及び後幕、
前記先幕及び後幕をそれぞれ駆動する第１及び第２駆動部材と、
前記第１及び第２駆動部材をそれぞれ駆動する第１及び第２アクチュエータと、
前記先幕が前記開口から退避するように前記第１駆動部材を付勢する第１付勢部材と、
前記後幕が前記開口から退避するように前記第２駆動部材を付勢する第２付勢部材と、
を備え、
前記先幕は、前記第１アクチュエータにより前記第１付勢部材の付勢力に抗して前記開口を閉じるように移動し、
前記後幕は、前記第２アクチュエータにより前記第２付勢部材の付勢力に抗して前記開口を閉じるように移動する、フォーカルプレーンシャッタ。
【請求項２】
前記第１付勢部材は、露出動作時に前記先幕の走行を補助し、該先幕が前記開口から退避した位置で該第１付勢部材の付勢力が最小となり、
前記第２付勢部材は、前記露出動作後のリセット時に前記後幕の走行を補助し、該後幕が前記開口から退避した位置で該第２付勢部材の付勢力が最小となる、請求項１のフォーカルプレーンシャッタ。
【請求項３】
前記先幕が前記開口を閉鎖する位置における前記第１付勢部材のトルクは、前記先幕が前記開口から退避した位置から前記開口を閉鎖する位置まで移動するように、前記第１駆動部材を駆動させる際の前記第１アクチュエータの起動時のトルクよりも小さく設定されている、請求項１又は２のフォーカルプレーンシャッタ。
【請求項４】
前記第１駆動部材は、前記第１アクチュエータに連動する第１駆動レバー、前記第１駆動レバーに連動し前記基板に対して揺動可能に支持された第１アーム、を含み
前記基板は、前記第１駆動レバーの移動を逃がす第１逃げ孔を有し、
前記第１逃げ孔の一端に第１緩衝部材が設けられており、
前記第１逃げ孔の他端に第２緩衝部材が設けられている、請求項１乃至３の何れかのフォーカルプレーンシャッタ。
【請求項５】
前記後幕が前記開口を閉鎖する位置における前記第２付勢部材のトルクは、前記後幕が前記開口から退避した位置から前記開口を閉鎖する位置まで移動するように、前記第２駆動部材を駆動させる際の前記第２アクチュエータの起動時のトルクよりも小さく設定されている、請求項１乃至４の何れかのフォーカルプレーンシャッタ。
【請求項６】
前記第２駆動部材は、前記第２アクチュエータに連動する第２駆動レバー、前記第２駆動レバーに連動し前記基板に対して揺動可能に支持された第２アーム、を含み、
前記基板は、前記第２駆動レバーの移動を逃がす第２逃げ孔を有し、
前記第２逃げ孔の一端に、第３緩衝部材が設けられ、
前記第２逃げ孔の他端に、第４緩衝部材が設けられている、請求項１乃至５の何れかのフォーカルプレーンシャッタ。
【請求項７】
請求項１乃至６の何れかのフォーカルプレーンシャッタを備えた光学機器。
【発明の詳細な説明】
【技術分野】
【０００１】
本発明は、フォーカルプレーンシャッタ及びそれを備えた光学機器に関する。
【背景技術】
【０００２】
撮影画像の記録を電気的に行う光学機器において、撮像素子を従来のファインダー相当として使用するものが提案されている。この場合、撮影前に撮像素子で被写体を捕えていることが必要であり、このような光学機器に用いられるフォーカルプレーンシャッタは開口を開いた状態で保持する必要がある。また、動画撮影時には継続して撮像素子で被写体を捕えていることが必要であり、この場合もフォーカルプレーンシャッタは全開状態を保持する必要がある。
【０００３】
特許文献１には、基板に形成された開口を開閉する先幕及び後幕と、先幕及び後幕を駆動するアクチュエータと、先幕及び後幕をそれぞれ走行方向に付勢する補助スプリングとを備えたフォーカルプレーンシャッタが開示されている。
【先行技術文献】
【特許文献】
【０００４】
【特許文献１】特開昭５６−１０９３２３号公報
【発明の概要】
【発明が解決しようとする課題】
【０００５】
このように、撮像素子を従来のファインダー相当として使用する場合、撮影前や動画撮影中においては、先幕及び後幕を開口から退避させて開口は開いた状態に維持される。このような場合に光学機器に衝撃等が加わると、先幕又は後幕が開口に進行する恐れがある。特に、特許文献１のように後幕が走行方向に付勢されている場合には、このような問題が生じる恐れがある。
【０００６】
そこで本発明は、開口が意図せずに先幕又は後幕によって閉じられることを簡単な構成で抑制するフォーカルプレーンシャッタ及びそれを備えた光学機器を提供することを目的とする。
【課題を解決するための手段】
【０００７】
上記目的は、開口を有した基板と、前記開口を開閉する先幕及び後幕、前記先幕及び後幕をそれぞれ駆動する第１及び第２駆動部材と、前記第１及び第２駆動部材をそれぞれ駆動する第１及び第２アクチュエータと、前記先幕が前記開口から退避するように前記第１駆動部材を付勢する第１付勢部材と、前記後幕が前記開口から退避するように前記第２駆動部材を付勢する第２付勢部材と、を備えたフォーカルプレーンシャッタによって達成できる。
【０００８】
開口から退避するように先幕及び後幕が付勢されているので、先幕及び後幕が開口から退避した状態でフォーカルプレーンシャッタに衝撃等が加わった場合であっても、先幕及び後幕が開口を閉じることを防止できる。
【０００９】
上記目的は、上記フォーカルプレーンシャッタを備えた光学機器によっても達成できる。
【発明の効果】
【００１０】
本発明によれば、開口が意図せずに先幕又は後幕によって閉じられることを簡単な構成で抑制するフォーカルプレーンシャッタ及びそれを備えた光学機器を提供できる。
【図面の簡単な説明】
【００１１】
【図１】図１は、本実施例のフォーカルプレーンシャッタの正面図である。
【図２】図２は、フォーカルプレーンシャッタを備えたカメラのブロック図である。
【図３】図３は、フォーカルプレーンシャッタのタイミングチャートである。
【図４】図４は、ロータのトルクと付勢部材のトルクとの関係を示したグラフである。
【図５】図５は、ロータのトルクと付勢部材のトルクとの関係を示したグラフである。
【発明を実施するための形態】
【００１２】
以下、図面を参照して実施例を説明する。図１は、本実施例のフォーカルプレーンシャッタ１の正面図である。フォーカルプレーンシャッタ１は、開口１１を有した基板１０、開口１１を開閉する先幕２０Ａ及び後幕２０Ｂ、先幕２０Ａを駆動するためのアーム３１ａ及び補助アーム３２ａ、後幕２０Ｂを駆動するためのアーム３１ｂ及び補助アーム３２ｂを有している。
【００１３】
基板１０は合成樹脂製であり、矩形状の開口１１を有している。先幕２０Ａ、後幕２０Ｂは、それぞれ複数の羽根から構成されるが、図１においては、２１ａ、２１ｂのみを示し、他の羽根は省略してある。羽根２１ａ、２１ｂは合成樹脂製であり、薄く形成されている。また、アーム３１ａ、３１ｂ、補助アーム３２ａ、３２ｂは薄板状の合成樹脂製である。これらアームは基板１０に揺動自在に支持されている。
【００１４】
フォーカルプレーンシャッタ１は、先幕２０Ａ、後幕２０Ｂを駆動する駆動源であるアクチュエータ７０ａ、７０ｂを備えている。アクチュエータ７０ａ、７０ｂは、それぞれ所定の範囲を双方向に回転可能なロータ７１ａ、７１ｂを有している。ロータ７１ａ、７１ｂは、例えば周方向に複数の磁極が着磁された永久磁石である。アクチュエータ７０ａは、ロータ７１ａ以外に、不図示のステータ、ステータに巻回されたコイルを有している。コイルへの通電によりステータが励磁され、ステータとロータ７１ａとの間に作用する磁気的吸引力、反発力により、ロータ７１ａが回転する。７０ｂも同様である。ロータ７１ａ、７１ｂにはそれぞれ、先幕駆動レバー（以下、駆動レバーと称する）４０ａ、後幕駆動レバー（以下、駆動レバーと称する）４０ｂが固定されている。
【００１５】
ロータ７１ａが回転することにより、駆動レバー４０ａは所定の範囲を揺動する。駆動レバー４０ａの先端には突起部４３ａが形成されている。突起部４３ａは、アーム３１ａに形成された嵌合孔に嵌合している。また、基板１０には突起部４３ａを逃がす円弧状の逃げ溝１３ａが形成されている。突起部４３ａが逃げ溝１３ａの端部に当接することにより、駆動レバー４０ａの揺動範囲が制限されている。
【００１６】
逃げ溝１３ａの一端及び他端のそれぞれに緩衝部材５１ａ、５２ａが設けられている。駆動レバー４０ａの突起部４３ａが緩衝部材５１ａ又は５２ａに当接することにより、駆動レバー４０ａのバウンドが抑制されている。先幕２０Ａが開口１１から退避した状態においては、先幕２０Ａを構成する複数の羽根は重畳状態にあり、駆動レバー４０ａの突起部４３ａは緩衝部材５２ａに当接する。先幕２０Ａが開口１１を閉鎖した状態では、先幕２０Ａを構成する複数の羽根は展開して開口１１を閉鎖し、駆動レバー４０ａの突起部４３ａは緩衝部材５１ａに当接する。
【００１７】
同様に、駆動レバー４０ｂもアーム３１ｂの嵌合孔に嵌合した突起部４３ｂを有し、逃げ溝１３ｂの一端及び他端のそれぞれに緩衝部材５１ｂ、５２ｂが設けられている。後幕２０Ｂが開口１１から退避した状態においては、後幕２０Ｂを構成する複数の羽根は重畳状態にあり、駆動レバー４０ｂの突起部４３ｂは緩衝部材５１ｂに当接する。後幕２０Ｂが開口１１を閉鎖した状態では、後幕２０Ｂを構成する複数の羽根は展開して開口１１を閉鎖し、駆動レバー４０ｂの突起部４３ｂは緩衝部材５２ｂに当接する。緩衝部材５１ａ、５２ａ、５１ｂ、５２ｂは、例えば、ゴム又はスポンジである。緩衝部材５１ａ、５２ａ、５１ｂ、５２ｂは、それぞれ、第１緩衝部材、第２緩衝部材、第３緩衝部材、第４緩衝部材の一例である。逃げ溝１３ａ、１３ｂは、それぞれ第１及び第２逃げ溝の一例である。
【００１８】
例えば、連射撮影時においては、駆動レバー４０ａ、４０ｂは、短期間で所定範囲を往復回転する。このため、逃げ溝１３ａ、１３ｂの両端にこのような緩衝部材を設けることにより、駆動レバー４０ａ、４０ｂの衝撃を吸収することができる。
【００１９】
以上の構成により、ロータ７１ａが回転すると駆動レバー４０ａが揺動してアーム３１ａが揺動する。これにより、先幕２０Ａが移動して開口１１を開閉する。同様に、ロータ７１ｂが回転すると駆動レバー４０ｂが揺動してアーム３１ｂが揺動する。これにより、後幕２０Ｂが移動して開口１１を開閉する。駆動レバー４０ａ、アーム３１ａ、補助アーム３２ａは、先幕２０Ａを駆動する第１駆動部材の一例である。アクチュエータ７０ａ、７０ｂは、それぞれ第１及び第２アクチュエータの一例である。駆動レバー４０ｂ、アーム３１ｂ、補助アーム３２ｂは、後幕２０Ｂを駆動する第２駆動部材の一例である。駆動レバー４０ａ、４０ｂは、それぞれ第１及び第２駆動レバーの一例である。アーム３１ａ、３１ｂは、第１及び第２アームの一例である。
【００２０】
ここで、フォーカルプレーンシャッタ１を備えた光学機器の一例であるカメラの構成について説明する。図２は、フォーカルプレーンシャッタ１を備えたカメラのブロック図である。カメラは、フォーカルプレーンシャッタ１、制御部３００、撮像素子４００等を備えている。制御部３００は、カメラ全体の動作を制御し、ＣＰＵ、ＲＯＭ、ＲＡＭ等を備えている。尚、カメラは、図２には図示していないが、焦点距離を調整するためのレンズ等を備えている。
【００２１】
制御部３００は、アクチュエータ７０ａ、７０ｂのそれぞれのコイルの通電状態を制御する。撮像素子４００は、被写体像を電気信号に変換する。撮像素子４００は、例えばＣＣＤやＣＭＯＳである。
【００２２】
尚、先幕２０Ａ、後幕２０Ｂをチャージ位置に位置付けるためのセット部材は設けられていない。先幕２０Ａ、後幕２０Ｂは、双方向に回転可能なロータ７１ａ、７１ｂによってチャージ位置に位置付けることができるからである。
【００２３】
次に、フォーカルプレーンシャッタ１の動作について説明する。図３は、フォーカルプレーンシャッタ１のタイミングチャートである。図１は、初期状態でのフォーカルプレーンシャッタ１を示している。初期状態においては、図１に示すように、先幕２０Ａ、後幕２０Ｂは開口１１から退避して全開状態を保持している。
【００２４】
その後、カメラのレリーズスイッチが押されると、チャージ動作が開始される。チャージ動作が開始されると、アクチュエータ７０ａのコイルに通電されて、後述する付勢部材の付勢力に抗して先幕２０Ａは開口１１を閉じるように移動する。また、アクチュエータ７０ｂのコイルには、後幕２０Ｂが開口１１に向けて一度移動するように通電された後、アクチュエータ７０ｂのコイルへの通電方向が切り替えられて、後幕２０Ｂは開口１１から退避する。
【００２５】
その後、先幕２０Ａが開口１１を閉鎖し、後幕２０Ｂが開口１１から退避した状態でアクチュエータ７０ａ、７０ｂのコイルへの通電が遮断される。このようにしてチャージ動作が完了する。
【００２６】
チャージ動作完了後、所定の休止期間を経て、露出動作が開始される。露出動作が開始されると、アクチュエータ７０ａのコイルが通電され、先幕２０Ａは後述する付勢部材の付勢力を利用して開口１１を開くように走行する。アクチュエータ７０ａのコイルが通電されてから所定時間経過後に、アクチュエータ７０ｂのコイルが通電され、後幕２０Ｂが後述する付勢部材の付勢力に抗して開口１１を閉じるように走行する。先幕２０Ａが開口１１から完全に退避し後幕２０Ｂが開口１１を完全に閉鎖するとアクチュエータ７０ａ、７０ｂのコイルへの通電は遮断される。このようにして、露出動作が終了する。先幕２０Ａが開口１１を開き始めたときから後幕２０Ｂが開口１１を完全に閉じるまでの間の期間を露出期間と称する。
【００２７】
露出動作終了後、制御部３００のＲＡＭや又はカメラ側のメモリにデータが読み込まれる。次に、アクチュエータ７０ｂのコイルが通電され、後幕２０Ｂが後述する付勢部材の付勢力を利用して開口１１から退避して、図１に示す初期状態に戻りリセットが完了する。
【００２８】
また、動画撮影中においては図１に示すような全開状態が維持される。ここで、動画撮影中やレリーズスイッチが押される前の全開状態においては基本的に、アクチュエータ７０ａ、７０ｂは無通電状態である。即ち、ロータ７１ａの保持トルクによって、駆動レバー４０ａの突起部４３ａは５２ａに押し付けられた状態が維持されている。また、ロータ７１ｂの保持トルクによって、駆動レバー４０ｂの突起部４３ｂは緩衝部材５１ｂに押し付けられた状態が維持される。
【００２９】
ここで、本実施例のフォーカルプレーンシャッタ１において、補助アーム３２ａ、３２ｂには、それぞれ付勢部材６０ａ、６０ｂが連結されている。付勢部材６０ａ、６０ｂは、それぞれコイルバネであるがこれに限定されない。例えば、付勢部材６０ａ、６０ｂは、板バネ、線バネであってもよい。付勢部材６０ａの一端は補助アーム３２ａに連結され、付勢部材６０ａの他端は基板１０に連結されている。付勢部材６０ｂの一端は補助アーム３２ｂに連結され、付勢部材６０ｂの他端は基板１０に連結されている。全開状態において、付勢部材６０ａ、６０ｂは、それぞれ先幕２０Ａ、後幕２０Ｂが開口１１から退避するように補助アーム３２ａ、３２ｂを付勢している。このように、ロータ７１ａ、７１ｂの保持トルクに加えて付勢部材６０ａ、６０ｂの付勢力により、先幕２０Ａ、後幕２０Ｂが開口１１から退避した状態が維持できる。これにより、アクチュエータ７０ａ、７０ｂが無通電で全開状態が維持されている場合に衝撃等によって先幕２０Ａ又は後幕２０Ｂが意図せずに開口１１を閉じる、又は開口１１の一部を閉鎖してしまうことを簡単な構成で抑制することができる。付勢部材６０ａ、６０ｂは、それぞれ第１及び第２付勢部材の一例である。
【００３０】
図４は、ロータ７１ａのトルクと付勢部材６０ａのトルクとの関係を示したグラフである。縦軸はトルクを示し、横軸は駆動レバー４０ａの作動角を示している。駆動レバー４０ａの突起部４３ａが緩衝部材５１ａに当接しているとき、即ち、先幕２０Ａが開口１１を閉鎖する位置を、駆動レバー４０ａの作動角が０度としている。駆動レバー４０ａの突起部４３ａが５２ａに当接しているとき、即ち、先幕２０Ａが開口１１から退避した位置で駆動レバー４０ａの作動角は最大となる。
【００３１】
曲線Ｔ７１ａは、ロータ７１ａが時計方向に回転するときの時計方向でのトルクの大きさを示している。換言すれば、曲線Ｔ７１ａは、先幕２０Ａが開口１１から退避するときのロータ７１ａのトルクを示している。曲線Ｔ７２ａは、ロータ７１ａが反時計方向に回転するときの反時計方向でのトルクの大きさを示している。換言すれば、曲線Ｔ７２ａは、先幕２０Ａが開口１１を閉鎖するときのロータ７１ａのトルクを示している。図２に示すように、ロータ７１ａが何れの方向に回転する場合であっても、起動してから停止するまでの間ロータ７１ａのトルクは上昇し、また、起動時でのロータ７１ａのトルクは最小値Ｔ７ａｍｉｎとなる。また、駆動レバー４０ａの突起部４３ａが緩衝部材５１ａ又は５２ａ当接する直前のロータ７１ａのトルクは最大値Ｔ７ａｍａｘとなる。
【００３２】
曲線Ｔ６ａは、付勢部材６０ａのトルクを示している。駆動レバー４０ａの作動角が０度のとき、即ち、先幕２０Ａが開口１１を閉鎖する位置のとき付勢部材６０ａは最も伸びた状態になり付勢部材６０ａのトルクは最大値Ｔ６ａｍａｘとなる。駆動レバー４０ａの作動角が最大のとき、付勢部材６０ａの長さは自然長となり付勢部材６０ａのトルクは最小値０となる。先幕２０Ａが開口１１から退避した位置からロータ７１ａが反時計方向に回転するにつれて、付勢部材６０ａのトルクは増大する。
【００３３】
ここで、フォーカルプレーンシャッタ１の動作の説明で述べたように、先幕２０Ａが開口１１から退避した位置から開口１１を閉鎖する位置へ移動する際には、ロータ７１ａは、付勢部材６０ａの付勢力に抗して駆動レバー４０ａを駆動させなければならない。このため、図４に示すように、付勢部材６０ａのトルクは、ロータ７１ａが反時計方向に回転している間の反時計方向でのトルクよりも常に小さくなるように設定されている。具体的には、先幕２０Ａが開口１１を閉鎖する位置における付勢部材６０ａのトルクの最大値Ｔ６ａｍａｘは、先幕２０Ａが開口１１から退避した位置から開口１１を閉鎖する位置まで移動するように、駆動レバー４０ａを駆動させる際のロータ７１ａの起動時のトルクＴ７ａｍｉｎよりも小さくなるように設定されている。これにより、付勢部材６０ａの付勢力の影響を受けることなくロータ７１ａを反時計方向に回転させることができる。
【００３４】
図５は、ロータ７１ｂのトルクと付勢部材６０ｂのトルクとの関係を示したグラフである。後幕２０Ｂが開口１１から退避した位置を、駆動レバー４０ｂの作動角が０度としている。後幕２０Ｂが開口１１を閉鎖する位置で駆動レバー４０ｂの作動角は最大となる。曲線Ｔ７１ｂは、ロータ７１ｂが時計方向に回転するときの時計方向でのトルクの大きさを示している。換言すれば、曲線Ｔ７１ｂは、後幕２０Ｂが開口１１を閉鎖するときのロータ７１ｂのトルクを示している。曲線Ｔ７２ｂは、ロータ７１ｂが反時計方向に回転するときの反時計方向でのトルクの大きさを示している。換言すれば、曲線Ｔ７２ｂは、後幕２０Ｂが開口１１から退避するときのロータ７１ｂのトルクを示している。曲線Ｔ６ｂは、付勢部材６０ｂのトルクを示している。ロータ７１ｂが時計方向に回転するにつれて、付勢部材６０ｂのトルクは増大し、後幕２０Ｂが開口１１を閉鎖する位置のとき付勢部材６０ｂは最も伸びた状態になり付勢部材６０ｂのトルクは最大値Ｔ６ｂｍａｘとなる。駆動レバー４０ｂの作動角が０度のとき、付勢部材６０ｂの長さは自然長となり付勢部材６０ｂのトルクは最小値０となる。後幕２０Ｂが開口１１から退避した位置からロータ７１ｂが反時計方向に回転するにつれて、付勢部材６０ｂのトルクは増大する。
【００３５】
ここで、フォーカルプレーンシャッタ１の動作の説明で述べたように、後幕２０Ｂが開口１１から退避した位置から開口１１を閉鎖する位置へ移動する際には、ロータ７１ｂは、付勢部材６０ｂの付勢力に抗して駆動レバー４０ｂを駆動させなければならない。このため、図５に示すように、付勢部材６０ｂのトルクは、ロータ７１ｂが時計方向に回転している間の時計方向でのトルクよりも常に小さくなるように設定されている。具体的には、後幕２０Ｂが開口１１を閉鎖する位置における付勢部材６０ｂのトルクの最大値Ｔ６ｂｍａｘは、後幕２０Ｂが開口１１から退避した位置から開口１１を閉鎖する位置まで移動するように駆動レバー４０ｂを駆動させる際のロータ７１ｂの起動時のトルクＴ７ｂｍｉｎよりも小さくなるように設定されている。これにより、付勢部材６０ｂの付勢力の影響を受けることなくロータ７１ｂを時計方向に回転させることができる。
【００３６】
尚、上記実施例においては、先幕２０Ａ及び後幕２０Ｂが開口１１から退避した位置において、付勢部材６０ａ及び付勢部材６０ｂの付勢力がそれぞれ最小値０となる例を示したが、これに限らない。上記位置において、付勢部材６０ａ及び付勢部材６０ｂの付勢力がそれぞれ最小値となるように構成されていればよい。
【００３７】
また、本実施例のフォーカルプレーンシャッタ１によれば、チャージ動作完了後の露出動作時の先幕の走行に、第１付勢部材である付勢部材６０ａの付勢力を使用することができる。同様に、露出動作完了後のリセット時の後幕の走行に、第２付勢部材である付勢部材６０ｂの付勢力を使用することができる。このように、付勢部材６０ａの付勢力は、露出動作時に先幕の走行を補助し、付勢部材６０ｂの付勢力は、露出動作完了後のリセット時の後幕の走行を補助する働きを有する。したがって、先幕２０Ａの駆動源であるアクチュエータ７０ａ、後幕２０Ｂの駆動源であるアクチュエータ７０ｂの駆動電源の負荷を低減できる。
【００３８】
以上本発明の好ましい実施形態について詳述したが、本発明は係る特定の実施形態に限定されるものではなく、特許請求の範囲に記載された本発明の要旨の範囲内において、変形・変更が可能である。
【００３９】
本実施例のフォーカルプレーンシャッタは、スチールカメラやデジタルカメラなどの光学機器に採用できる。
【００４０】
また、本実施例においては、羽根、アームは薄く形成された合成樹脂製である場合を説明したが、薄く形成された金属製であってもよい。上記実施例において、先幕は４枚の羽根から構成されるが、これに限定されない。先幕及び後幕は、それぞれ２枚〜５枚の何れであってもよい。
【００４１】
上記実施例において、付勢部材６０ａ、６０ｂは、それぞれ補助アーム３２ａ、３２ｂに連結されている。しかしながらこのような構成に限定されず、例えば、付勢部材６０ａは、アーム３１ａ又は駆動レバー４０ａに連結されていてもよい。また、付勢部材６０ｂは、アーム３１ｂ又は駆動レバー４０ｂに連結されていてもよい。
【００４２】
上記実施例においては、図４に示したように付勢部材６０ａのトルクは、駆動レバー４０ａの作動角が最大のときでゼロになるように設定してある。しかしながら、このような構成に限定されず、駆動レバー４０ａの作動角が最大の時でも、先幕２０Ａが開口１１から退避するように補助アーム３２ａを引張るように付勢部材６０ａを設定してもよい。即ち、駆動レバー４０ａの作動角が最大のときでも付勢部材６０ａが自然長よりも伸びた状態となるようにセットしてもよい。付勢部材６０ｂについても同様である。
【符号の説明】
【００４３】
１  フォーカルプレーンシャッタ
１０  基板
１１  開口
２０Ａ  先幕
２０Ｂ  後幕
２１ａ、２１ｂ  羽根
３１ａ、３１ｂ  アーム
３２ａ、３２ｂ  補助アーム
４０ａ  先幕駆動レバー
４０ｂ  後幕駆動レバー
５１ａ、５１ｂ、５２ａ、５２ｂ  緩衝部材
６０ａ、６０ｂ  付勢部材
７０ａ、７０ｂ  アクチュエータ
７１ａ、７１ｂ  ロータ
【図１】
0005798910.tif 000002
【図２】
0005798910.tif 000003
【図３】
0005798910.tif 000004
【図４】
0005798910.tif 000005
【図５】
0005798910.tif 000006